(57)【特許請求の範囲】
【請求項１】
第１の蓋表面と第２の蓋表面とを有する蓋と、
前記蓋を作動機構と接続するための接続手段であり、前記接続手段は、前記作動機構から前記第１の蓋表面へ力を伝達するように適合され、第１の蓋表面を横切って延びる接続手段と、
前記第１の蓋表面に取り付けられた力指向部材であり、前記力指向部材は、前記第１の蓋表面から離れる外側に延び、前記第１の蓋表面の一部分より上に接続手段を持ち上げ、これにより、前記接続手段が、前記第１の蓋表面の一部分にわたって、前記第１の蓋表面と接触することを防ぎ、前記第１の蓋表面の一部分全体にわたって前記接続手段からの力を分散する、力指向部材と、
を備え、前記力指向部材は、２つのリブを備え、前記２つのリブは互いに間隔を空ける、用具のバルブドア。
【請求項２】
前記蓋は円形の周囲を有する、請求項１に記載のバルブドア。
【請求項３】
前記力指向部材は、接着剤または固定具で前記第１の蓋表面に取り付けられているか、または前記蓋と一体成形されている、請求項１に記載のバルブドア。
【請求項４】
各リブはガセットを含む、請求項１に記載のバルブドア。
【請求項５】
架橋部が前記２つのリブを接続する、請求項１に記載のバルブドア。
【請求項６】
前記架橋部は、前記接続手段を前記架橋部を横切るように位置付けるための保持機構を含む、請求項５に記載のバルブドア。
【請求項７】
前記各リブの上面は、前記保持機構と前記蓋との間に隆起して配置されている、請求項６に記載のバルブドア。
【請求項８】
前記２つのリブは、前記接続手段にほぼ垂直に向いている、請求項１に記載のバルブドア。
【請求項９】
各リブは、前記接続手段を前記第１の蓋表面を横切るように位置付けるためのチャネルを含んでいる、請求項１に記載のバルブドア。
【請求項１０】
前記蓋を封止筒部に取り付けるように適合されたヒンジをさらに備えた、請求項１に記載のバルブドア。
【請求項１１】
前記接続手段は紐である、請求項１に記載のバルブドア。
【請求項１２】
前記用具は、蛍光ペン、マーカー、フェルトペン、ボールペン、絵筆アプリケータ、修正液アプリケータ、メーキャップアプリケータ、香水アプリケータ、温度計、ｐＨ検出器、ナイフまたは液体サンプリング装置である、請求項１に記載のバルブドア。
【請求項１３】
先端を有する筆記部材と、
前記筆記部材を実質的に取り囲む封止筒部であり、前記封止筒部は開口端部を有している、封止筒部と、
前記先端が前記封止筒部内に配置される収納位置から、前記先端が前記開口端部を通って前記封止筒部の外へ延びる伸長位置へと、前記筆記部材を移動させる移動機構と、
前記開口端部で前記封止筒部にヒンジ式に取り付けられた蓋であり、前記蓋は、前記蓋が、前記封止筒部の前記開口端部を露出する開放位置から、前記蓋が、前記封止筒部の前記開口端部を覆う閉鎖位置へ移動可能であり、前記蓋は、前記封止筒部の前記開口端部とは反対側の第１の蓋表面上に配置された力指向部材を含み、前記力指向部材は、前記第１の蓋表面から及び封止筒部から離れる外側に延び、前記力指向部材は、互いに間隔を空けた２つのリブを備える、蓋と、
前記移動機構と前記蓋を接続するための接続手段とを備え、
前記接続手段は、前記第１の蓋表面を横切って延び、前記力指向部材に接触し、前記力指向部材は、前記第１の蓋表面の少なくとも一部分より上に接続手段を持ち上げ、これにより、前記接続手段が、前記第１の蓋表面の少なくとも一部分と接触することを防ぐ格納式筆記用具。
【請求項１４】
各リブはガセットを備えている、請求項１３に記載の格納式筆記用具。
【請求項１５】
架橋部が前記２つのリブを接続している、請求項１３に記載の格納式筆記用具。
【請求項１６】
前記封止筒部の前記開口端部上に配置されたバルブ封止リングを備えた、請求項１３に記載の格納式筆記用具。
【請求項１７】
前記バルブ封止リングは、単一のショット成形工程で前記封止筒部と一体成形されている、請求項１６に記載の格納式筆記用具。
【請求項１８】
先端を有する筆記部材であり、前記筆記部材は筆記用具本体内に配置されている、筆記部材と、
前記筆記用具本体内に配置された封止筒部であり、前記封止筒部は、前記先端を含む前記筆記部材の一部を取り囲み、前記封止筒部は開口端部を有している、封止筒部と、
前記封止筒部の前記開口端部を選択的に封止するための、第１の蓋表面を有する蓋と、
前記筆記用具本体と前記筆記部材との間に配置された移動機構であり、前記移動機構は、前記先端が前記封止筒部内に配置される収納位置と、前記先端が前記封止筒部の前記開口端部を通って前記封止筒部の外へ突出する伸長位置との間で前記筆記部材を移動させるように適合されている、移動機構と、
前記蓋を前記移動機構に接続するための接続手段であり、前記接続手段は、前記第１の蓋表面を横切って延び、前記移動機構が生成する力の一部を前記第１の蓋表面全体にわたって分散し、それによって、前記蓋が前記封止筒部の前記開口端部を封止する閉鎖位置方向に前記蓋を付勢する、接続手段と、
を備えた、格納式筆記用具であり、
前記第１の蓋表面は、前記第１の蓋表面から及び前記封止筒部から離れるように延びる１組のリブを含み、前記１組のリブは、前記第１の蓋表面と前記接続手段との間で位置付けられ、それによって、前記第１の蓋表面より上に前記接続手段の一部を持ち上げ、前記１組のリブは、前記接続手段からの力を、前記第１の蓋表面の一部分全体にわたって分散し、これにより前記蓋が前記閉鎖位置にあるときの蓋の撓みを低減し、その結果インクの蒸発を低減する、格納式筆記用具。
【請求項１９】
前記２つのリブは、互いに実質的に平行で、かつヒンジと前記蓋の正面との間の線に実質的に平行に配向される請求項１に記載のバルブドア。
【請求項２０】
前記バルブドアは、ディスク形状であり、前記第１の蓋表面及び第２の蓋表面は、バルブドアの両側面に位置付けられる請求項１に記載のバルブドア。
【発明の詳細な説明】
【技術分野】
【０００１】
本開示は一般に格納式用具に関し、より具体的には、力指向構成部品を備えたバルブドアを有するキャッププレスの格納式筆記用具に関する。
【背景技術】
【０００２】
キャップレスの格納式筆記用具の一例が、米国特許第５，０４８，９９０号明細書で示されており、その内容は参照により本明細書に組み入れられるものとする。このキャップレスの筆記用具は、ペン先を有する筆記部材を含んでいる。筆記部材は、筆記用具本体の内側に配置される封止筒部に収容されている。封止筒部の端部開口を閉じるための封止カバーが、封止筒部の前端部近くの封止筒部上に配置されている。筆記部材移動機構が、筆記部材を前方に動かし、ペン先が筆記用具本体の正面を通って突出した状態で、筆記部材を筆記位置で固定する。移動機構は、筆記部材を封止カバーに接続する紐状の部材を含んでおり、筆記部材が格納された後には、封止カバーが後方へ引っ張られて封止筒部と接触し、これによりペン先が乾燥するのを防ぐ。従来技術によるキャップレスの筆記用具は、比較的小さなペン先で良好に機能している。しかし、従来技術による設計は、比較的大きなペン先、例えば、乾式消去マーカーなど集団に情報を伝達することを意図したマーカー、および他の同様の大きさのマーカーを形成するために用いられるペン先には、封止カバーが大きな直径の開口を十分には封止しないため、特に良く適しているわけではない。
【先行技術文献】
【特許文献】
【０００３】
【特許文献１】米国特許第５，０４８，９９０号明細書
【発明の概要】
【課題を解決するための手段】
【０００４】  格納式マーカーのバルブドアは、第１および第２の表面を有する蓋と、その蓋を作動機構と接続するための接続手段とを備えている。接続手段は、蓋を閉位置方向に付勢するために、作動機構からの力を第１の蓋表面全体にわたって分散するように適合されている。力指向部材が第１の蓋表面に取り付けられる。力指向部材は、接続手段からの力を蓋表面の一部分にわたって分散し、それによって確実な封止を維持し、蓋の撓みを低減するように適合されている。【０００５】
格納式の筆記用具は、先端を有する筆記部材と、筆記部材を実質的に取り囲む封止筒部とを備えている。封止筒部は、開口端部を有する。移動機構が、先端が封止筒部内に配置された格納位置から、先端が開口端部を通って封止筒部の外側に延びる伸長位置まで、筆記部材を移動させる。蓋が、開口端部で封止筒部にヒンジ式に取り付けられている。蓋は、蓋が封止筒部の開口端部を露出する開位置と、蓋が封止筒部の開口端部を覆う閉位置との間で移動することができる。蓋は、封止筒部の開口端部と対向する蓋表面に配置された、力指向部材を含んでいる。接続手段が移動機構と蓋に取り付けられている。接続手段は、力指向部材と接触している。力指向部材は、接続手段が、第１の蓋表面の少なくとも一部分にわたって、第１の蓋表面と接触するのを防いでいる。
【０００６】
格納式の筆記用具は、先端を有する筆記部材を備えている。筆記部材は、筆記用具本体内に配置されている。封止筒部が筆記用具本体内に配置されている。封止筒部は、先端を含む筆記部材の一部を取り囲み、開口端部を有する。蓋が、封止筒部の開口端部を選択的に封止または露出する。移動機構が、筆記用具本体と筆記部材との間に配置されている。移動機構は、先端が封止筒部内に配置される格納位置と、先端が封止筒部の開口端部を通って封止筒部の外側に突出する伸長位置との間で筆記部材を移動させる。接続手段が、蓋を移動機構に接続している。接続手段は、移動機構が生成した力を、蓋の片側の少なくとも一部分全体にわたって加え、それによって、蓋を閉位置方向に付勢し、この閉位置では蓋が封止筒部の開口端部を封止する。蓋は、蓋と接続手段との間に位置付けられた１組のリブを含んでいる。リブは、接続手段の一部を、封止筒部より遠位にある蓋表面の一部分より上に持ち上げる。１組のリブは、接続手段からの力を、封止筒部より遠位にある蓋表面の一部分全体にわたって加え、それゆえ、蓋が閉位置にあるときの蓋の撓みを低減し、これによりインクの蒸発を減らす。
【０００７】
以下に、本開示に基づいて構成された筆記用具の例示的な態様および特徴を、図面を用いてより詳細に記載および説明する。
【図面の簡単な説明】
【０００８】
【図１】図１は、本開示の教示に基づいて一般に構成されたキャップレスマーカーの断面図であり、マーカーは、閉位置にある封止ドアを有している。
【図２】図２は、開位置にある封止ドアを有する、図１のキャップレスマーカーの断面図である。
【図３】図３は、図１のキャップレスマーカーのバルブ筒部と接続手段の一部の斜視図である。
【図４】図４は、従来技術によるバルブドアの上面図である。
【図５】図５は、従来技術によるバルブドアの別の実施形態の斜視図である。
【図６Ａ】図６Ａは、蓋が一部開位置にある状態の、本開示の教示に基づいて構成された、蓋および封止筒部の斜視図である。
【図６Ｂ】図６Ｂは、蓋が完全に開位置にある状態の、本開示の教示に基づいて構成された、蓋および封止筒部の斜視図である。
【図６Ｃ】図６Ｃは、接続手段の保持機構が取り除かれた状態の、図６Ａおよび図６Ｂの蓋の斜視図である。
【図７】図７は、本開示の教示に基づいて構成された蓋の第１の代替実施形態の斜視図である。
【図８】図８は、本開示の教示に基づいて構成された蓋の第２の実施形態の斜視図である。
【発明を実施するための形態】
【０００９】
図１および図２には、本開示の教示に基づいて一般に構成された筆記用具が示されている。筆記用具は、封止筒部３を収容する本体１を含んでいる。筆記部材８は、一部が、封止筒部３内に配置されている。筆記部材８は、封止筒部３の開口を通って移動可能なペン先８ｃを含んでいる（図１は、格納位置における筆記用具を図示し、図２は、伸長位置における筆記用具を図示している）。本体には空気孔８ａが設けられている。空気孔８ａによって、封止筒部内の圧力を均一にすることができる。ペン先８ｃが格納されているときは、封止カバー４が、封止筒部３の開口端部を閉鎖する。紐などの接続手段１５が、筆記部材８を封止カバー４に接続する。接続手段１５は可撓性であっても半剛性であってもよい。半剛性の接続手段は、曲げ運動を予測可能な態様で位置付け、方向付ける幾何学的な機構を含んでもよい。筆記部材８が封止筒部３に格納されると、接続手段１５は、張力を受けて、封止カバー４を閉位置に引き込み、ペン先８ｃが乾燥するのを防ぐ。
【００１０】
封止筒部３は溝２２を含んでもよく（図３）、接続手段１５がこの溝を通り、保持される。封止筒部３の上部２４は、封止カバー４によって選択的に封止される開口を含んでいる。封止カバー４は、ヒンジ２８によって封止筒部３に接続されている。ヒンジ２８は、典型的には、リビングヒンジであり、封止筒部３と封止カバー４と一体成形されている。
【００１１】
従来技術による封止カバー４は、封止カバー４の外側（すなわち上）面に形成された溝３２を含んでいることが多い（図４）。溝３２は、封止カバー４を横切って、接続手段１５を位置付け、安定化させ、接続手段１５が封止カバー４から滑り落ちるのを防いでいる。しかし、溝３２は、封止カバー４に対して接続手段１５を持ち上げない。溝３２は、封止カバー４を横切る接続手段１５の方向とほぼ平行な方向に向いている機構を含んでいる。
【００１２】
典型的には、封止カバー４は、１つには、封止筒部３内の溶剤蒸気圧により、閉位置において内圧を受けている。封止カバー４が閉位置にあるときは、接続手段１５からの力が内圧に対抗しており、これにより、封止カバー４と封止筒部３との間に封止を形成する。封止カバー４と封止筒部３との間の封止によって、筆記システム内の早期の溶剤損失が防がれ、または減少し、それによって、組立体を実質的に封止することによって、筆記用具の乾燥を軽減する。
【００１３】
本発明者らは、従来技術による封止カバー４（例えば、図４で示されている封止カバー４）が、封止カバー４の直径、封止カバー４を形成するのに用いられる材料、接続手段１５が封止カバー４に加える力、および／または封止筒部３の内部から封止カバー４に加わる内圧などによって、閉位置で変形し始めることが多いことに気付いた。このような封止カバーの変形は、封止カバー４と封止筒部３との間の境界面に漏洩を生じる可能性があり、それによって、封止カバー４と封止筒部３との間に封止が形成されているにもかかわらず、ペン先の早期乾燥を引き起こす。
【００１４】
次に図５に移ると、別の従来技術による封止カバー４が閉位置で示されている。本発明者らは、図４および５で示された従来技術による封止カバー４が、時間とともに、封止カバー４の湾曲または弓状変形によって、変位することに気付いた。これらの変位は、接続手段１５によって封止カバー４の頂部に加わる負荷、および封止カバー４の底部に加わる内部の溶剤蒸気圧などによると考えられる。理論に拘束されることを意図するものではないが、接続手段１５の線形の特質（ｌｉｎｅａｒ  ｎａｔｕｒｅ）によって、封止カバー４が下向きに、封止筒部３内に向かって、接続手段１５に隣接して、湾曲または変形する（これ以降、「負の変位」と称す）ことが多いと考えられる。同様に、封止カバー４は、接続手段１５より遠位の領域（すなわち、封止カバー４の正面３４）において、封止筒部３から離れて上向きに撓む（これ以降、「正の変位」と称す）と考えられる。その結果、従来技術による封止カバー４は、封止カバー４の正面３４の近傍で漏れることが多く、それによって、ペン先の早期乾燥を引き起こす。この課題は、封止カバー４と封止筒部３とが、より大きな筆記先端および／または他の比較的大きなサイズの用具を収容するためにより大きく作られている場合に、特に重大である。
【００１５】
図６Ａおよび６Ｂで示されているように、本開示の教示に基づいて構成された格納式筆記用具の蓋１０４は、第１の（上）面１５０と、第２の（下）面１５２と、ヒンジ１２８とを含んでいる。ヒンジ１２８は、一体成形されたリビングヒンジ、または、参照により本明細書に組み入れられる米国特許出願第１１／６５４，９５９号明細書に記載されているような２つの構成要素のリビングヒンジであってもよい。ヒンジ１２８は、蓋１０４を封止筒部１０３に接続する。封止筒部１０３は、単一の構成要素の封止筒部または２つの構成要素の封止筒部（例えば、米国特許出願第１１／６５４，９５９号明細書に記載された封止筒部）であってもよい。接続手段（図示せず）が、蓋１０４の第１の表面１５０を横切って延びる。接続手段は、蓋１０４を作動または移動機構（図示せず）に接続する。作動機構は、封止筒部１０３の開口を通って、ペン先を外側に選択的に突き出し、作動中は、ペン先を内側方向に、封止筒部１０３内まで引き込む。あるいは、または上記に加えて、作動機構は、開位置から閉位置へ蓋１０４を移動させることができる。蓋１０４はまた、例えば、１組のリブ１６０などの力指向部材を含んでいる。図６Ａおよび図６Ｂの実施形態では、リブ１６０は、互いに平行である。しかし、リブ１６０は、互いに平行に向いている必要はない。１組のリブ１６０は、接続手段を第１の表面１５０より上に持ち上げ、接続手段が生成する力を第１の表面１５０の一部分全体にわたって分散する。１組のリブ１６０のさらなる利点は、１組のリブ１６０が蓋１０４の構造的剛性を効果的に上げ得ることである。それゆえ、１組のリブ１６０は、接続手段の負荷を蓋１０４の中心に向かって分散し、かつ蓋１０４を強化することによって、閉位置での蓋１０４の正および負の撓みを両方とも低減する。
【００１６】
１組のリブ１６０は、プラスチックで形成されてもよく、例えば、接着剤、固定具、一体成形など任意の公知の手段によって、第１の表面１５０に取り付けられてもよい。リブ１６０は互いに平行でなくてもよいが、リブ１６０は、典型的には、互いにほぼ平行な方向に、例えば、ヒンジ１２８と蓋１０４の正面１３４との間の線に平行な方向に向いている。
【００１７】
１組のリブ１６０はそれぞれ、各リブ１６０を第１の表面１５０上で安定化させ、強化するために、典型的には、リブ１６０に対してほぼ垂直に向けられたガセット１６２（図６Ｃ）を含んでもよい。接続手段を中心に置き、保持するために、ブロックおよびチャネル１６４などの接続手段保持機構が、リブ１６０の間に配置されてもよい。接続手段保持機構１６４は、必要に応じて、蓋１０４およびリブ１６０とは異なる材料で形成されてもよい。例えば、接続手段保持機構は、接続手段からの力が接続手段保持機構１６４を通って蓋１０４へ伝達されなくてもよいので、エラストマーで形成されてもよい。それどころか、リブ１６０は、実質的に全ての力を方向付け、それゆえ、本質的に、唯一の力指向部材である。本実施形態では、各リブ１６０の上面が、接続手段保持機構１６４と第１の蓋表面１５０との間で隆起して位置してもよい。例えば、各リブ１６０の上面は、チャネルまたは接続手段保持機構１６４における他の保持要素の底部、溝とほぼ同じ高さに位置してもよい。接続手段保持機構１６４は、リブの力を方向付ける能力を最大限にする態様でリブ１６０と接触するように接続手段を位置付けながら、リブ１６０の上面を横切って接続手段が横方向に移動することを防ぐ。
【００１８】
バルブ封止リング１７０が、封止筒部１０３上、例えば、封止筒部１０３の開口に近接した内側の環状表面上に配置されてもよい。蓋１０４が閉位置にあるときは、バルブ封止リング１７０は、蓋１０４の（第１の表面１５０と反対側の）第２の表面１５２と接触し、これにより、組立体を封止するのを補助できる。バルブ封止リング１７０は、封止筒部１０３と同じ材料で形成されてもよく（例えば、単一のショット成形工程）、または、封止筒部１０３とは異なる材料で形成されてもよい（例えば、米国特許出願第１１／６５４，９５９号明細書に記載されているようなツーショット成形工程）。
【００１９】
接続手段からの力を蓋１０４の中心に向かって方向付けることによって、力指向体１６０が蓋１０４を予測可能な方法で変形させると考えられる。例えば、蓋１０４が変形すると、その変形が、中心から外側に負の方向で（すなわち、バルブ筒部内に向かって）放射状に広がる。さらに、負の変形が蓋１０４の外周に向かって指数関数的に減少しながら、最も大きな負の変形が、一般に、蓋１０４の中心近くで生じる。それゆえ、バルブ封止リング１７０は、その全周にわたって、特に、蓋１０４の正面１３４に隣接した領域にわたって、正の圧縮を受けてその位置を保つ。その結果、蓋１０４がバルブ封止リング１７０全体にわたって正圧力を維持することによって、閉位置にある場合は、蓋１０４は、インク溶剤の早期蒸発を低減する。
【００２０】
リブ１６０の断面または幅は、蓋１０４の厚さと比較して相対的に小さい。それゆえ、相対的に小さなヒンジゲートにわたる大きな射出圧力低下のために、例えば、ひけマークまたは表面欠陥などの射出成形欠陥が著しく低減する。その結果、蓋１０４とバルブ封止リング１７０との間の完全な密閉性を低下させるであろう蓋１０４の欠陥が大きく低減する。
【００２１】
本開示の教示に基づいて構成および配置された蓋２０４に関する第２の代替実施形態が、図７で示されている。第２の実施形態では、力指向手段はブロック２６０の形態をしている。接続手段２１５が蓋２０４の第１の表面２５０を横切って、かつブロック２６０を横切って、延びている。それゆえ、ブロック２６０は、蓋２０４の第１の表面２５０より上に接続手段２１５を持ち上げ、接続手段２１４からの力を蓋２０４を通して、実質的には、バルブ封止リング１７０の直径の内側へ方向付ける（図６Ｂ）。ブロック２６０は、接続手段２１５をブロック内で保持するのを助けるために、溝、チャネルまたは同様の保持固定具（図示せず）を選択的に含んでもよい。他の実施形態におけるように、力指向構成部品２６０は、少なくとも第１の表面２５０の一部よりも上に接続手段を持ち上げ、接続手段２１５がバルブ組立体（図示せず）を開閉するために、ヒンジ２２８を横切って配置される。ブロック２６０は、プラスチックまたは任意の他の適切な材料でできていてもよい。ブロック２６０は、接着剤、固定具、一体成形（例えば、単一または２段ショット成形工程）など任意の公知の手段によって、第１の表面２５０に取り付けられてもよい。
【００２２】
蓋３０４に関する第３の代替実施形態が図８で示されている。第３の実施形態では、架橋部３８０が、第１の蓋表面３５０上の２つのリブ３６０の間に設けられている。架橋部３８０は、蓋表面３５０を横切って接続手段３１５を位置付けおよび安定化させ、それによって、接続手段３１５を蓋３０４を横切って所望の向きで維持するために、溝またはチャネル３８２などの保持機構を選択的に含んでもよい。
【００２３】
さらに別の実施形態では、力指向体は、実質的に蓋の中心で位置付けられた単一の隆起構造物として設けられ、それによってタワーを形成してもよい。タワーは、蓋の頂部を横切って、および、封止体の直径の実質的に内側で、接続部材からの力を中央に分散する。
【００２４】
さらに別の実施形態では、力指向部材は、蓋に取り付けられているのとは対照的に、接続部材に取り付けられてもよい。力指向部材が実質的にその中心にあるように、接続部材が蓋の頂部上に位置付けられている場合には、力指向部材は、蓋の頂部と接触し、それゆえ、伝達部材からの力を蓋の頂部にわたって、および封止体の直径の実質的に内側に分散する。
【００２５】
上記の各実施形態においては、力指向部材は、接続部材からの力を、蓋の中心に向かって再度方向付け、それゆえ、蓋が蓋の中心から内側にへこむまたは撓む原因となると考えられる。この撓みによって、封止筒部上のバルブ封止リング全体にわたり力がより均一に分散する。さらに、蓋を中心で撓ませることによって、漏洩の原因となり、それによって、格納式マーカーのインクシステムに支障を来たす可能性のある、非対称的な端部の撓みを防ぐ。
【００２６】
力指向体は、蓋を有する任意の用具で垂直に用いられてもよい。例えば、当業者には理解されるように、上記で説明したような力指向体を有するバルブドアが、例えば、蛍光ペン、マーカー、フェルトペン、ボールペンなどの種々の格納式筆記用具で用いられてもよい。筆記用具に加え、力指向体は、絵筆アプリケータ、修正液アプリケータ、メーキャップアプリケータ（例えば、マニキュアおよびマスカラアプリケータ）、香水アプリケータ、温度計、ｐＨ検出器、ナイフ、液体サンプリング装置および他の器具を含む多種多様な他の格納式用具に適用することもできる。この改良されたバルブドアは、比較的大きな筆記先端を有する格納式マーカーなどの筆記用具（このような用具は、本明細書で説明した力指向体構成部品を用いて達成される改良された封止から大きな利益を得るため）に特に有用である。一態様においては、この筆記用具は油性マーカーである。別の態様では、この筆記用具は、乾式消去マーカーである。
【００２７】
本明細書では、本開示の教示に基づいて、特定の力指向体について説明してきたが、本特許の範囲は上記に限定されない。むしろ、様々な好ましい実施形態に関連して本発明を示し、説明してきたが、上述の変更および修正に加えて特定の変更および修正がなされてもよいことは明らかである。本特許は、許容可能な均等物の範囲内に明らかに含まれる本開示の教示の全実施形態を包含する。例えば、力指向体は、本明細書で説明したように力を方向付けることができるのであれば、事実上、任意の形状および／または大きさを有してもよい。上記で要点を説明した原理から逸脱することなく、本発明の多くの他の変形形態が用いられてもよい。したがって、当業者であれば思い付くであろうあらゆる変形および修正を保護することを意図している。
【符号の説明】
【００２８】
１  本体
３  封止筒部
４  封止カバー
８  筆記部材
８ａ  空気孔
８ｃ  ペン先
１５  接続手段
２２  溝
２４  （封止筒部３の）上部
２８  ヒンジ
３２  溝
３４  （封止カバーの）正面
１０３  封止筒部
１０４  蓋
１２８  ヒンジ
１３４  正面
１５０  第１の面
１５２  第２の面
１６０  リブ
１６２  ガセット
１６４  接続手段保持機構
１７０  バルブ封止リング
【図１】
0005562935.tif 000002
【図２】
0005562935.tif 000003
【図３】
0005562935.tif 000004
【図４】
0005562935.tif 000005
【図５】
0005562935.tif 000006
【図６Ａ】
0005562935.tif 000007
【図６Ｂ】
0005562935.tif 000008
【図６Ｃ】
0005562935.tif 000009
【図７】
0005562935.tif 000010
【図８】
0005562935.tif 000011